(57)【要約】【課題】  広告看板上のアドレス情報を活用でき、広告看板が直接的な売買手段になり、広告看板が複数の無線装置から同時に送信されたデータを混信せず、広告看板に送信される電磁波または音波の送信方向が明確になる、広告システムおよび広告看板を提供する。【解決手段】  無線装置は、端末のアドレスを示す端末アドレス情報を看板装置へ送信し、看板装置は、無線装置から送信された端末アドレス情報を受信し、受信した端末アドレス情報を公衆ネットワークまたはインターネットを介して広告サーバに送信し、広告サーバは、看板装置から送信された端末アドレス情報を受信し、受信した端末アドレス情報が示すアドレスを有する端末へ広告データを送信する。【選択図】  図１
2004312660.tif 000002
【特許請求の範囲】
【請求項１】
無線装置と、
１つ以上の看板装置を有する広告看板と、
広告データを端末に送信する広告サーバと、を有し、
前記無線装置は、前記端末のアドレスを示す端末アドレス情報を前記看板装置へ送信し、
前記看板装置は、前記無線装置から送信された前記端末アドレス情報を受信し、該受信した端末アドレス情報を公衆ネットワークまたはインターネットを介して前記広告サーバに送信し、
前記広告サーバは、前記看板装置から送信された前記端末アドレス情報を受信し、該受信した端末アドレス情報が示すアドレスを有する端末へ前記広告データを送信することを特徴とする広告システム。
【請求項２】
前記無線装置は、
前記端末から１以上の端末アドレス情報を入力される外部インタフェースと、
前記外部インタフェースに入力された前記１以上の端末アドレス情報を記憶する記憶部と、
前記記憶部が記憶する前記１以上の端末アドレス情報の中から１つの端末アドレス情報の選択を指示する選択指示を入力される入力インタフェースと、
前記入力インタフェースに入力された前記選択指示に従い前記記憶部が記憶する前記１以上の端末アドレス情報の中から前記１つの端末アドレス情報を選択する中央制御部と、
前記中央制御部が選択した前記１つの端末アドレス情報を前記中央制御部から入力し、該入力された1つの端末アドレス情報を電波または光である電磁波または超音波を含む音波として送信する無線送信部と、
前記無線送信部が送信する前記電磁波または前記音波の方向を視覚的に示すマーカ部と、
を備えることを特徴とする請求項１に記載の広告システム。
【請求項３】
前記看板装置は、
それぞれ狭範囲の指向性を有し、複数の無線装置から電波または光である電磁波または超音波を含む音波としてそれぞれ送信された前記端末アドレス情報をそれぞれ受信する１つ以上の無線受信部と、
前記１つ以上の無線受信部がそれぞれ受信した前記端末アドレス情報を記憶する記憶部と、
前記記憶部に記憶されている前記端末アドレス情報を読み出す中央制御部と、
前記中央制御部が読み出した前記端末アドレス情報を入力し、該入力された端末アドレス情報を、前記広告サーバに前記公衆ネットワークまたは前記インターネットを介して送信する外部インタフェースと、
を備えることを特徴とする請求項１に記載の広告システム。
【請求項４】
無線装置が接続された端末と、
１つ以上の看板装置を有する広告看板と、
広告データを前記端末に送信する広告サーバと、を有し、
前記端末は、前記広告サーバのアドレスを示す広告サーバアドレス情報の送信要求を前記無線装置を介して前記看板装置へ送信し、
前記看板装置は、前記端末から送信された前記送信要求を受信し、該受信した送信要求に応じて、前記広告サーバアドレス情報を前記無線装置を介して前記端末ヘ送信し、
前記広告サーバは、前記広告サーバアドレス情報を受信した前記端末から送信される広告データの送信要求を受信し、該受信した広告データの送信要求に応じて、公衆ネットワークまたはインターネットを介して該広告データを前記端末へ送信することを特徴とする広告システム。
【請求項５】
前記無線装置は、
前記看板装置から電波または光である電磁波または超音波を含む音波として送信された前記広告サーバアドレス情報を受信する無線受信部と、
前記端末のアドレスを示す１つ以上の端末アドレス情報が前記端末から入力され、または、前記広告サーバアドレス情報を前記端末に出力する外部インタフェースと、
前記端末から前記外部インタフェースに入力された前記１つ以上の端末アドレス情報または前記無線受信部により受信された前記広告サーバアドレス情報を記憶する記憶部と、
前記記憶部が記憶する前記１つ以上の端末アドレス情報または前記広告サーバアドレス情報の中から１つの端末アドレス情報または広告サーバアドレス情報を選択する選択指示が入力される入力インタフェースと、
前記入力インタフェースに入力された前記選択指示に従い前記記憶部が記憶する前記１つ以上の端末アドレス情報または前記広告サーバアドレス情報の中から、１つの端末アドレス情報または前記外部インタフェースに出力する広告サーバアドレス情報を選択する中央制御部と、
前記中央制御部が選択した前記１つの端末アドレス情報を前記中央制御部から入力し、該入力された１つの端末アドレス情報を電波または光である電磁波または超音波を含む音波として送信する無線送信部と、
前記無線送信部が送信する前記電磁波または前記音波の方向を視覚的に示すマーカ部と、
を備えることを特徴とする請求項４に記載の広告システム。
【請求項６】
前記看板装置は、
それぞれ狭範囲の指向性を有し、複数の無線装置から電波または光である電磁波または超音波を含む音波としてそれぞれ送信された前記端末アドレス情報をそれぞれ受信する１つ以上の無線受信部と、
広告データおよび前記無線受信部がそれぞれ受信した前記端末アドレス情報を記憶する記憶部と、
前記記憶部が記憶する前記広告データまたは前記端末アドレス情報をそれぞれ読み出す中央制御部と、
それぞれ狭範囲の指向性を有し、前記中央制御部が読み出した前記広告データを前記中央制御部が読み出した前記端末アドレス情報が示すアドレスの端末へ電波または光である電磁波または超音波を含む音波としてそれぞれ送信する１つ以上の無線送信部と、
を備えることを特徴とする請求項４に記載の広告システム。
【請求項７】
前記無線装置は、前記送信要求を送信してきた前記端末のアドレスを示す端末アドレス情報を前記送信要求とともに前記看板装置に送信し、
前記看板装置は、前記無線装置から送信されてくる前記端末アドレス情報を前記広告サーバアドレス情報とともに前記無線装置へ送信し、
前記無線装置は、前記広告サーバアドレス情報とともに前記看板装置から送信されてくる前記端末アドレス情報に基づいて、前記広告サーバアドレス情報が自己の無線装置に宛てたものであるかどうかを判定し、前記広告サーバアドレス情報が自己の無線装置に宛てたものであるときに前記広告サーバアドレス情報を前記端末へ送信することを特徴とする請求項４に記載の広告システム。
【請求項８】
無線装置が接続された端末と、
１つ以上の看板装置を有する広告看板と、
広告データを前記端末に送信する広告サーバと、を有し、
前記看板装置は、前記広告サーバのアドレスを示す広告サーバアドレス情報を前記端末へ送信し、
前記端末は、前記看板装置から送信された前記広告サーバアドレス情報を前記無線装置を介して受信し、該受信した広告サーバアドレス情報が示すアドレスの広告サーバヘ、広告データの送信要求を送信し、
前記広告サーバは、前記端末から送信された前記広告データの送信要求を受信し、該受信した広告データの送信要求に応じて、公衆ネットワークまたはインターネットを介して該広告データを前記端末へ送信することを特徴とする広告システム。
【請求項９】
前記無線装置は、
前記看板装置から電波または光である電磁波または超音波を含む音波として送信された前記広告サーバアドレス情報を受信する無線受信部と、
前記無線受信部により受信された前記広告サーバアドレス情報を記憶する記憶部と、
前記広告サーバアドレス情報を前記端末に出力する外部インタフェースと、
前記記憶部に記憶された前記広告サーバアドレス情報を前記外部インタフェースに出力する中央制御部と、
前記無線受信部で受信される前記電磁波または前記音波の方向を視覚的に示すマーカ部と
を備えることを特徴とする請求項８に記載の広告システム。
【請求項１０】
前記看板装置は、
前記広告サーバアドレス情報を記憶する記憶部と、
前記記憶部が記憶する前記広告サーバアドレス情報を読み出す中央制御部と、
それぞれ狭範囲の指向性を有し、前記中央制御部が読み出した前記広告サーバアドレス情報を電波または光である電磁波または超音波を含む音波として送信する１つ以上の無線送信部と
を備えることを特徴とする請求項８に記載の広告システム。
【請求項１１】
前記端末は、携帯電話またはパーソナルコンピュータまたは携帯情報端末であることを特徴とする請求項１または請求項２または請求項４または請求項５または請求項７または請求項８または請求項９に記載の広告システム。
【発明の詳細な説明】
【技術分野】
【０００１】
本発明は、広告システムおよび広告看板に関し、特に、広告が載せられた広告看板上の商品やサービスに関するデータをネットワークを利用して送受信する広告システムおよび広告看板に関する。
【背景技術】
【０００２】
［広告看板］
街中やビルや駅などにおいては、商品やサービスに関する広告を載せた看板である広告看板がよく見かけられる。この広告看板を見て、その商品やサービスに関する詳細な情報を知りたくなったユーザ、または、この広告看板を見て、その商品の購入やサービスの提供を受けたいと考えたユーザは、たとえば、次のような行動をとる。
【０００３】
すなわち、その商品やサービスを取り扱う店舗に行く行動、または、商品やサービスの詳細なデータを提供し商品の販売やサービスの提供を取り扱うインターネット上のサーバのＵＲＬ（Ｕｎｉｆｏｒｍ  Ｒｅｓｏｕｒｃｅ  Ｌｏｃａｔｏｒ）などのアドレス情報が広告看板に記載されている場合には、このＵＲＬなどのアドレス情報をメモして、これをコンピュータやＰＤＡ（Ｐｅｒｓｏｎａｌ  Ｄｉｇｉｔａｌ（Ｄａｔａ）  Ａｓｓｉｓｔａｎｔｓ：携帯情報端末）や携帯電話に入力し、上記サーバにインターネットを介してアクセスするなどの行動である。
【０００４】
［無線装置］
一般に、電磁波（電波または光）または音波（超音波を含む）の無線を利用してデータを送受信する装置であってＦＤＭＡ（Ｆｒｅｑｕｅｎｃｙ  Ｄｉｖｉｓｉｏｎ  Ｍｕｌｔｉｐｌｅ  Ａｃｃｅｓｓ）やＴＤＭＡ（Ｔｉｍｅ  Ｄｉｖｉｓｉｏｎ  Ｍｕｌｔｉｐｌｅ  Ａｃｃｅｓｓ）などのマルチプルアクセス方式を利用する装置は、１対多の通信を行うことができるが、高価であるため、安価な装置、たとえば、赤外線を利用したリモコン装置などでは、ＦＤＭＡやＴＤＭＡなどのマルチプルアクセス方式を利用しない装置が採用されている（例えば、非特許文献１を参照）。
【０００５】
したがって、赤外線を利用したリモコン装置などの安価な装置では、単一のチャネルでの１対１の通信が前提とされている。
この単一のチャネルでの１対１の通信が前提とされる従来の無線装置の受信指向性を図２１に示す。
【０００６】
図２１に示すように、１対１の通信を前提にした従来の無線装置２００には、リモコン装置などから送信される赤外線などをどの角度からでも受信可能としたいため、無線受信部２０１には非常に広範囲な指向性を持つ赤外線受光素子が利用されている。なお、図中の符号２０２は無線受信部２０１の指向性パターンを示している。
【非特許文献１】高木弘之、中塚重行、「特集＊ワイヤレス・データ伝送の技法：赤外線リモコンを理解する」、トランジスタ技術、第３３巻、第３８６号、ＣＱ出版社、１９９６年１１月、ｐｐ．２６１−２６８。
【非特許文献２】「モバイル対応バーコードリーダー活用の流通管理システム」、モバイルメディア・マガジン、第７９巻、株式会社シーメディア、２００２年３月、ｐ．１５。
【発明の開示】
【発明が解決しようとする課題】
【０００７】
［広告看板］
しかし、商品やサービスを取り扱う店舗に行ったり、広告看板上のＵＲＬをメモして、このメモしたＵＲＬをコンピュータやＰＤＡや携帯電話に入力したりすることは、時間や手間のかかることである。
【０００８】
したがって、従来の広告看板では、広告看板上のアドレス情報、たとえば、商品やサービスを取り扱うサーバのＵＲＬなどが活用されていないという問題があった。
よって、従来は、広告看板が直接的な売買手段にはならないという問題があった。
この問題を解決する方法として、バーコードリーダと携帯電話を利用したシステムがある（例えば、非特許文献２を参照）。このシステムでは、携帯電話とバーコードリーダを接続し、広告上のバーコードをバーコードリーダで読み取り、このバーコードの値を携帯電話で利用している。広告上のバーコードがＵＲＬを示している場合、バーコードを読み取ることで、ユーザはＵＲＬの文字列を入力することなく、携帯電話にＵＲＬのデータを取り込むことができる。しかし、バーコードリーダを用いた場合、広告看板に記載されている情報がバーコードであるため、バーコードがＵＲＬを示していることがユーザには直感的に分からない。しかも、ユーザがこのバーコードを読み取るためにはバーコードリーダを広告に十分近づける必要があり、携帯電話にＵＲＬを取り込むことができる範囲が限定されてしまう。
【０００９】
［無線装置］
また、上記従来の無線装置２００は、非常に広範囲な指向性を持つ赤外線受光素子を有しているものの、上述したように、ＦＤＭＡやＴＤＭＡなどのマルチプルアクセス方式が利用されていない。したがって、上記従来の無線装置２００では、複数の無線装置から同時にデータが送信された場合、データが混信し、受信を受け付けることができないという問題があった。
【００１０】
また、従来のリモコン装置などにおいては、可視光ではない赤外線などが利用されているため、この赤外線などがどこに向けて送信されているのかが不明であった。したがって、図２１に記載の従来の無線装置２００が複数ある場合、所望の無線装置ではない無線装置がリモコン装置から送信された赤外線を受信してしまうという問題があった。
【００１１】
そこで、本発明は、かかる事情に鑑み、広告看板上のアドレス情報を活用でき、広告看板が直接的な売買手段になり、広告看板が複数の無線装置から同時に送信されたデータを混信せず、広告看板に送信される電磁波または音波の送信方向が明確になる、広告システムおよび広告看板を提供することを目的とする。
【課題を解決するための手段】
【００１２】
本発明によれば、上記課題は、以下の手段により解決される。
【００１３】
請求項１に記載の第１の広告システムは、無線装置と、１つ以上の看板装置を有する広告看板と、広告データを端末に送信する広告サーバと、を有し、前記無線装置は、前記端末のアドレスを示す端末アドレス情報を前記看板装置へ送信し、前記看板装置は、前記無線装置から送信された前記端末アドレス情報を受信し、該受信した端末アドレス情報を公衆ネットワークまたはインターネットを介して前記広告サーバに送信し、前記広告サーバは、前記看板装置から送信された前記端末アドレス情報を受信し、該受信した端末アドレス情報が示すアドレスを有する端末へ前記広告データを送信することを特徴とする。
【００１４】
請求項２に記載の広告システムは、請求項１に記載の広告システムにおいて、前記無線装置は、前記端末から１以上の端末アドレス情報を入力される外部インタフェースと、前記外部インタフェースに入力された前記１以上の端末アドレス情報を記憶する記憶部と、前記記憶部が記憶する前記１以上の端末アドレス情報の中から１つの端末アドレス情報の選択を指示する選択指示を入力される入力インタフェースと、前記入力インタフェースに入力された前記選択指示に従い前記記憶部が記憶する前記１以上の端末アドレス情報の中から前記１つの端末アドレス情報を選択する中央制御部と、前記中央制御部が選択した前記１つの端末アドレス情報を前記中央制御部から入力し、該入力された１つの端末アドレス情報を電波または光である電磁波または超音波を含む音波として送信する無線送信部と、前記無線送信部が送信する前記電磁波または前記音波の方向を視覚的に示すマーカ部と、を備えることを特徴とする。
【００１５】
請求項３に記載の広告システムは、請求項１に記載の広告システムにおいて、前記看板装置は、それぞれ狭範囲の指向性を有し、複数の無線装置から電波または光である電磁波または超音波を含む音波としてそれぞれ送信された前記端末アドレス情報をそれぞれ受信する１つ以上の無線受信部と、前記１つ以上の無線受信部がそれぞれ受信した前記端末アドレス情報を記憶する記憶部と、前記記憶部に記憶されている前記端末アドレス情報を読み出す中央制御部と、前記中央制御部が読み出した前記端末アドレス情報を入力し、該入力された端末アドレス情報を、前記広告サーバに前記公衆ネットワークまたは前記インターネットを介して送信する外部インタフェースと、を備えることを特徴とする。
【００１６】
請求項４に記載の広告システムは、無線装置が接続された端末と、１つ以上の看板装置を有する広告看板と、広告データを前記端末に送信する広告サーバと、を有し、前記端末は、前記広告サーバのアドレスを示す広告サーバアドレス情報の送信要求を前記無線装置を介して前記看板装置へ送信し、前記看板装置は、前記端末から送信された前記送信要求を受信し、該受信した送信要求に応じて、前記広告サーバアドレス情報を前記無線装置を介して前記端末へ送信し、前記広告サーバは、前記広告サーバアドレス情報を受信した前記端末から送信される広告データの送信要求を受信し、該受信した広告データの送信要求に応じて、公衆ネットワークまたはインターネットを介して該広告データを前記端末へ送信することを特徴とする。
【００１７】
請求項５に記載の広告システムは、請求項４に記載の広告システムにおいて、前記無線装置は、前記看板装置から電波または光である電磁波または超音波を含む音波として送信された前記広告サーバアドレス情報を受信する無線受信部と、前記端末のアドレスを示す１つ以上の端末アドレス情報が前記端末から入力され、または、前記広告サーバアドレス情報を前記端末に出力する外部インタフェースと、前記端末から前記外部インタフェースに入力された前記１つ以上の端末アドレス情報または前記無線受信部により受信された前記広告サーバアドレス情報を記憶する記憶部と、前記記憶部が記憶する前記１つ以上の端末アドレス情報または前記広告サーバアドレス情報の中から１つの端末アドレス情報または広告サーバアドレス情報を選択する選択指示が入力される入力インタフェースと、前記入力インタフェースに入力された前記選択指示に従い前記記憶部が記憶する前記１つ以上の端末アドレス情報または前記広告サーバアドレス情報の中から、１つの端末アドレス情報または前記外部インタフェースに出力する広告サーバアドレス情報を選択する中央制御部と、前記中央制御部が選択した前記１つの端末アドレス情報を前記中央制御部から入力し、該入力された１つの端末アドレス情報を電波または光である電磁波または超音波を含む音波として送信する無線送信部と、前記無線送信部が送信する前記電磁波または前記音波の方向を視覚的に示すマーカ部と、を備えることを特徴とする。
【００１８】
請求項６に記載の広告システムは、請求項４に記載の広告システムにおいて、前記看板装置は、それぞれ狭範囲の指向性を有し、複数の無線装置から電波または光である電磁波または超音波を含む音波としてそれぞれ送信された前記端末アドレス情報をそれぞれ受信する１つ以上の無線受信部と、広告データおよび前記無線受信部がそれぞれ受信した前記端末アドレス情報を記憶する記憶部と、前記記憶部が記憶する前記広告データまたは前記端末アドレス情報をそれぞれ読み出す中央制御部と、それぞれ狭範囲の指向性を有し、前記中央制御部が読み出した前記広告データを前記中央制御部が読み出した前記端末アドレス情報が示すアドレスの端末へ電波または光である電磁波または超音波を含む音波としてそれぞれ送信する１つ以上の無線送信部と、を備えることを特徴とする。
請求項７に記載の広告システムは、請求項４に記載の広告システムにおいて、前記無線装置は、前記送信要求を送信してきた前記端末のアドレスを示す端末アドレス情報を前記送信要求とともに前記看板装置に送信し、前記看板装置は、前記無線装置から送信されてくる前記端末アドレス情報を前記広告サーバアドレス情報とともに前記無線装置へ送信し、前記無線装置は、前記広告サーバアドレス情報とともに前記看板装置から送信されてくる前記端末アドレス情報に基づいて、前記広告サーバアドレス情報が自己の無線装置に宛てたものであるかどうかを判定し、前記広告サーバアドレス情報が自己の無線装置に宛てたものであるときに前記広告サーバアドレス情報を前記端末へ送信することを特徴とする。
【００１９】
請求項８に記載の広告システムは、無線装置が接続された端末と、１つ以上の看板装置を有する広告看板と、広告データを前記端末に送信する広告サーバと、を有し、前記看板装置は、前記広告サーバのアドレスを示す広告サーバアドレス情報を前記端末へ送信し、前記端末は、前記看板装置から送信された前記広告サーバアドレス情報を前記無線装置を介して受信し、該受信した広告サーバアドレス情報が示すアドレスの広告サーバヘ、広告データの送信要求を送信し、前記広告サーバは、前記端末から送信された前記広告データの送信要求を受信し、該受信した広告データの送信要求に応じて、公衆ネットワークまたはインターネットを介して該広告データを前記端末へ送信することを特徴とする。
【００２０】
請求項９に記載の広告システムは、請求項８に記載の広告システムにおいて、前記無線装置は、前記看板装置から電波または光である電磁波または超音波を含む音波として送信された前記広告サーバアドレス情報を受信する無線受信部と、前記無線受信部により受信された前記広告サーバアドレス情報を記憶する記憶部と、前記広告サーバアドレス情報を前記端末に出力する外部インタフェースと、前記記憶部に記憶された前記広告サーバアドレス情報を前記外部インタフェースに出力する中央制御部と、前記無線受信部で受信される前記電磁波または前記音波の方向を視覚的に示すマーカ部とを備えることを特徴とする。
請求項１０に記載の広告システムは、請求項８に記載の広告システムにおいて、前記看板装置は、前記広告サーバアドレス情報を記憶する記憶部と、前記記憶部が記憶する前記広告サーバアドレス情報を読み出す中央制御部と、それぞれ狭範囲の指向性を有し、前記中央制御部が読み出した前記広告サーバアドレス情報を電波または光である電磁波または超音波を含む音波として送信する１つ以上の無線送信部とを備えることを特徴とする。
請求項１１に記載の広告システムは、請求項１，請求項２，請求項４，請求項５，請求項７，請求項８，または請求項９に記載の広告システムにおいて、前記端末は、携帯電話またはパーソナルコンピュータまたは携帯情報端末であることを特徴とする。
【発明の効果】
【００２１】
以上説明したように、本発明によれば、広告看板がデータの送信機能または受信機能または送受信機能を有する。
したがって、本発明によれば、この広告看板が無線や音波または公衆ネットワークを介してユーザと通信を行うことにより、商品やサービスの広告を出した広告主とユーザとが、直接または間接に商品やサービスに関するデータを送受信できる。
よって、本発明によれば、商品やサービスの広告を見たユーザと、この広告を出した広告主との間の情報の伝達効率を向上できる。
【００２２】
また、本発明によれば、広告看板を見たユーザは、直接その場で、商品の売買を行うことが可能となる。
【００２３】
また、本発明によれば、ユーザは、商品やサービスを取り扱うインターネット上のアドレスを携帯電話やＰＤＡに入力する手間と時間を省けるため、広告看板上のアドレス情報を活用できる。
【００２４】
また、本発明によれば、看板装置は、複数の無線装置から同時に送信されたデータを混信せずに受信できる。
【００２５】
また、本発明によれば、看板装置において送信部と受信部とが独立しているため、情報量の少ない受信部では、駆動電力の低い媒体を利用でき、待ち受けの駆動電源を低減させることができる。
さらに、本発明によれば、駆動電源に電池などを利用することによって、その駆動時間を延ばすことができるため、保守費用の低減も図れる。
【００２６】
また、本発明によれば、マーカ機能を用いることができるため、他の無線装置が送信している電磁波または音波の方向や場所を知ることができる。よって、本発明によれば、結果として、複数の無線装置の１つの看板装置に対する電磁波または音波の同時送信を回避できる。
また、本発明によれば、看板装置は無線装置から送られてきた端末アドレス情報を広告サーバアドレス情報に添付して無線装置へ送信しているため、無線装置は自己の無線装置が要求した広告サーバアドレス情報だけを端末に送ることが可能となる。
【発明を実施するための最良の形態】
【００２７】
以下に添付した図面を参照しつつ、本発明の好適な実施の形態を詳細に説明する。
【００２８】
［本発明の第１の態様による実施の形態］
（本発明の第１の態様による第１の実施の形態）
図１は、本発明の第１の態様による第１の実施の形態に係る広告システムを示す図である。
【００２９】
図１に示すように、本発明の第１の態様による第１の実施の形態に係る広告システムは、携帯電話１０と、この携帯電話１０に接続され、その内部の記憶部（図示略）にこの携帯電話１０の電子メールアドレスを記憶している無線装置１１と、商品を取り扱っている商品Ａサーバ１２Ａ，商品Ｂサーバ１２Ｂ，商品Ｃサーバ１２Ｃ，商品Ｄサーバ１２Ｄと、インターネット１３に接続され、無線装置１１から送信された電子メールアドレスをそれぞれ無線受信部１４Ａ〜１４Ｄで受信した場合、この受信した電子メールアドレス宛にそれぞれ商品Ａサーバ１２Ａ，商品Ｂサーバ１２Ｂ，商品Ｃサーバ１２Ｃ，商品Ｄサーバ１２Ｄのホームページのアドレス（ＵＲＬ）を送信する４つの看板装置１５Ａ〜１５Ｄを有する広告看板１６と、を有している。
【００３０】
以下、本発明の第１の態様による第１の実施の形態に係る広告システムにおける信号の流れを図２のフローチャートを参照しつつ、説明する。
【００３１】
本発明の第１の態様による第１の実施の形態に係る広告システムにおいては、広告看板１６に商品Ａ、商品Ｂ、商品Ｃ、商品Ｄに関する広告が載せられており、ユーザは、これら商品に関する広告を見て、商品Ａを購入したいと思ったとする。
【００３２】
商品Ａを購入したいと思ったユーザは、携帯電話１０の電子メールアドレスを無線装置１１から広告看板１６が有する商品Ａに係る看板装置１５Ａの無線受信部１４Ａに送信する（ステップＳ１１）。
【００３３】
無線装置１１から送信された電子メールを受信した商品Ａに係る看板装置１５Ａは、商品Ａを販売する商品Ａサーバ１２ＡのＵＲＬを含む電子メールを、インターネット１３、携帯電話網１７、基地局１８を介して、この電子メールアドレスを有する携帯電話１０に送信する（ステップＳ１２）。
【００３４】
商品Ａに係る看板装置１５Ａから送信された電子メールを受信した携帯電話１０は、受信した電子メールを画面に表示する（ステップＳ１３）。
【００３５】
画面に表示された電子メールを見たユーザは、この電子メールに含まれる商品Ａサーバ１２ＡのＵＲＬを選択する（ステップＳ１４）。
【００３６】
そして、ユーザは、携帯電話１０から、選択したＵＲＬを有する商品Ａサーバ１２Ａへアクセスし、商品Ａをインターネット１３上で購入する（ステップＳ１５）。
【００３７】
以上のようにして、本発明の第１の態様による第１の実施の形態に係る広告システムにおけるユーザは、広告看板１６を見て商品Ａを購入したいと思った場合、この商品Ａをインターネット１３上で販売する商品Ａサーバ１２Ａに対して、広告看板１６を見たその場から直ちにアクセスできる。
【００３８】
（本発明の第１の態様による第２の実施の形態）
図３は、本発明の第１の態様による第２の実施の形態に係る広告システムを示す図である。
【００３９】
図３に示すように、本発明の第１の態様による第２の実施の形態に係る広告システムは、携帯電話２０と、この携帯電話２０に接続され、その内部の記憶部（図示略）にこの携帯電話２０の電話番号を記憶している無線装置２１と、商品を取り扱っている商品Ａサーバ２２Ａ，商品Ｂサーバ２２Ｂ，商品Ｃサーバ２２Ｃ，商品Ｄサーバ２２Ｄと、インターネット２３に接続され、無線装置２１から送信された電話番号をそれぞれ無線受信部２４Ａ〜２４Ｄで受信した場合、この受信した電話番号へ商品の購入窓口から電話を掛けるように要求するデータをそれぞれ商品Ａサーバ２２Ａ，商品Ｂサーバ２２Ｂ，商品Ｃサーバ２２Ｃ，商品Ｄサーバ２２Ｄヘ送信する４つの看板装置２５Ａ〜２５Ｄを有する広告看板２６と、を有している。
【００４０】
以下、本発明の第１の態様による第２の実施の形態に係る広告システムにおける信号の流れを、図４のフローチャートを参照しつつ、説明する。
【００４１】
本発明の第１の態様による第２の実施の形態に係る広告システムにおいては、広告看板２６に商品Ａ、商品Ｂ、商品Ｃ、商品Ｄに関する広告が載せられており、ユーザは、これら商品に関する広告を見て、商品Ｂを購入したいと思ったとする。
【００４２】
商品Ｂを購入したいと思ったユーザは、無線装置２１から、携帯電話２０の電話番号を含むデータを広告看板２６が有する商品Ｂに係る看板装置２５Ｂの無線受信部２４Ｂに送信する（ステップＳ２１）。
無線装置２１から送信された電話番号を受信した商品Ｂに係る看板装置２５Ｂは、受信したデータに含まれる電話番号を、インターネット２３を介して、商品Ｂを販売する商品Ｂサーバ２２Ｂに送信する（ステップＳ２２）。
【００４３】
商品Ｂに係る看板装置２５Ｂから送信された電話番号を受信した商品Ｂサーバ２２Ｂは、携帯電話網２７および基地局２８を介して、受信したデータに含まれる電話番号を有する携帯電話２０に電話をかける（ステップＳ２３）。商品Ｂサーバ２２Ｂから電話をかけられた携帯電話２０は、商品Ｂサーバ２２Ｂから発せられた呼を着信する（ステップＳ２４）。
【００４４】
そして、ユーザは、この携帯電話２０から商品Ｂサーバ２２Ｂに商品Ｂを注文する（ステップＳ２５）。
【００４５】
以上のようにして、本発明の第１の態様による第２の実施の形態に係る広告システムにおけるユーザは、広告看板２６を見て商品Ｂを購入したいと思った場合、広告看板２６を見たその場から携帯電話２０を用いて直ちに商品Ｂを商品Ｂサーバ２２Ｂに対して注文できる。
【００４６】
（本発明の第１の態様による第３の実施の形態）
図５は、本発明の第１の態様による第３の実施の形態に係る広告システムを示す図である。
【００４７】
図５に示すように、本発明の第１の態様による第３の実施の形態に係る広告システムは、パーソナルコンピュータ３０と、その内部の記憶部（図示略）にこのパーソナルコンピュータ３０の電子メールアドレスを記憶している無線装置３１と、商品を取り扱っている商品Ａサーバ３２Ａ，商品Ｂサーバ３２Ｂ，商品Ｃサーバ３２Ｃ，商品Ｄサーバ３２Ｄと、インターネット３３に接続され、無線装置３１から送信された電子メールアドレスを無線受信部３４Ａ〜３４Ｄで受信した場合、この受信した電子メールアドレス宛に商品の詳細なデータ（たとえば、カタログ）を送信する要求をそれぞれ商品Ａサーバ３２Ａ，商品Ｂサーバ３２Ｂ，商品Ｃサーバ３２Ｃ，商品Ｄサーバ３２Ｄに送信する４つの看板装置３５Ａ〜３５Ｄを有する広告看板３６と、を有している。
【００４８】
以下、本発明の第１の態様による第３の実施の形態に係る広告システムにおける信号の流れを、図６のフローチャートを参照しつつ、説明する。
【００４９】
本発明の第１の態様による第３の実施の形態に係る広告システムにおいては、広告看板３６に商品Ａ、商品Ｂ、商品Ｃ、商品Ｄに関する簡単な広告が載せられており、ユーザは、これら商品に関する広告を見て、商品Ｃの詳細なデータを取得したいと思ったとする。
【００５０】
商品Ｃの詳細なデータを取得したいと思ったユーザは、無線装置３１から、ユーザのパーソナルコンピュータ３０の電子メールアドレスを含むデータを、広告看板３６が有する商品Ｃに係る看板装置３５Ｃの無線受信部３４Ｃに送信する（ステップＳ３１）。
【００５１】
無線装置３１から送信されたデータを受信した商品Ｃに係る看板装置３５Ｃは、受信したデータに含まれる電子メールアドレスを電子メールとして、インターネット３３を介して、商品Ｃを販売する商品Ｃサーバ３２Ｃに送信する（ステップＳ３２）。
【００５２】
商品Ｃに係る看板装置３５Ｃから送信された電子メールを受信した商品Ｃサーバ３２Ｃは、商品Ｃの詳細なデータ（たとえば、カタログ）に係るＵＲＬを含む電子メールを、看板装置３５Ｃから送信された電子メールに含まれる電子メールアドレスを有するパーソナルコンピュータ３０に送信する（ステップＳ３３）。
【００５３】
ユーザは、パーソナルコンピュータ３０により受信された電子メールに含まれる商品Ｃの詳細なデータに係るＵＲＬを選択する（ステップＳ３４）。
【００５４】
そして、パーソナルコンピュータ３０が、選択されたＵＲＬにアクセスし、商品Ｃの詳細なデータを画面に表示する（ステップＳ３５）。
【００５５】
以上のようにして、本発明の第１の態様による第３の実施の形態に係る広告システムにおけるユーザは、広告看板３６を見て商品Ｃの詳細なデータを取得したいと思った場合、広告看板３６上のＵＲＬを紙や携帯電話の記憶部に手作業でメモすることなく、自宅などにあるパーソナルコンピュータ３０で電子メールを受信し、商品Ｃの詳細なデータを得ることができる。
【００５６】
（本発明の第２の態様による実施の形態）
本発明の第２の態様による実施の形態の広告システムにおける無線装置を図７に示す。
【００５７】
図７に示す無線装置は、上述した、本発明の第１の態様による第１の実施の形態、第２の実施の形態、第３の実施の形態に用いられ、１つの無線送信部４０、送信するデータが外部から入力される外部インタフェース部４１、送信するデータを保持する記憶部４２、記憶部４２に保持したデータから送信データを選択可能な入力インタフェース部４３、送信信号の方向を示すマーカ部４４、記憶部４２から無線送信部４０ヘデータを転送する中央制御部４５から構成される。
【００５８】
外部インタフェース部４１から入力し記憶部４２で保持されているデータは、入力インタフェース部４３にて選択される。入力インタフェース部４３の選択を検出した中央制御部４５は、選択された記憶部４２のデータを無線送信部４０へ転送し、送信する。
【００５９】
マーカ部４４は可視光を送出できる素子（例えば可視光半導体レーザなど）を実装しており、マーカ部４４を無線送信部４０と同一軸上または近傍に配置し、送信波と同一方向に光を放つポインタを利用することで送信波の方向を目視することが可能となる。  また、マーカ部４４のマーカ機能により他の無線装置が送信しているかどうかを知ることができるため、同一看板装置に対する無線送信のアクセス競合を目視により回避できる。
なお、「同一軸上または近傍」とは、無線送信部４０とマーカ部４４が送信波の方向と直交する同一の平面上に配置されているか、または、無線送信部４０が配置されている送信波の方向と直交した平面とマーカ部４４が配置されている送信波の方向と直交した平面とが近接していることを意味する。
【００６０】
さらに、無線送信装置のマーカ部４４から発光する可視光のポインタをスキャンミラーや偏光板を用いて星型や楕円形等の固有形状にすることで、複数の無線送信装置から同一の無線受信装置（看板装置）へ送信している場合に、自無線送信装置の送信先が分かりやすくなる。
【００６１】
外部インタフェース部４１をＵＳＢ（Universal Serial Bus）などで構成すれば直接パソコン等からデータを入力可能であり、携帯電話のインタフェ一スとすれば携帯電話からデータを入力可能である。
【００６２】
記憶部４２に保持されるデータとしては、無線装置のアドレス情報や、電子メールアドレス、携帯電話番号などが考えられる。
【００６３】
（本発明の第３の態様による実施の形態）
本発明の第３の態様に係る広告看板の実施の形態を図８に示す。
【００６４】
図８に示す広告看板５０は、上述した、本発明の第１の態様による第１の実施の形態、第２の実施の形態、第３の実施の形態に用いられ、複数の看板装置５１を有している。
この各看板装置５１の実施の形態、すなわち、本発明の第３の態様に係る広告看板５０が有する各看板装置５１の実施の形態を図９に示す。
【００６５】
図９の看板装置は、１つ以上の無線受信部６１、無線受信部６１から受信したデータを保持する記憶部６２、受信データを外部装置（図示略）に出力する外部インタフェース部６３、記憶部６２から外部インタフェース部６３ヘデータを転送する中央制御部６４から構成される。
【００６６】
無線受信部６１で受信したデータは、記憶部６２に送られ保持される。中央制御部６４は記憶部６２にデータが保持されると、該当データを外部インタフェース部６３へ転送し、外部への出力を行う。
【００６７】
中央制御部６４では、異なる無線受信部６１から受信したデータの順序性を保証するために、記憶部６２におけるバッファ制御も行う。たとえば、先入れ先出しのポリシーでデータを転送する場合、記憶部６２はＦＩＦＯ（Ｆｉｒｓｔ−Ｉｎ  Ｆｉｒｓｔ−Ｏｕｔ）の様に構成され、中央制御部６４はこのＦＩＦＯを制御する。
【００６８】
図９に示す看板装置では、各無線受信部６１が記憶部６２へそれぞれ個別に接続されているが、記憶部６２がバスアービタ機能を持つ場合、バス接続の構成も考えられる。
また、システムバスアービタ機能を持つ場合、中央制御部６４が接続されるシステムバスに各無線受信部６１が接続される構成も考えられる。
【００６９】
図９の看板装置における無線受信部６１の配置例を示す図１０に示す。図１０において符号１〜５は無線受信部，符号６は無線受信部１の指向性パターン，符号７は看板装置である。
【００７０】
図１０に示すように、図９の看板装置においては、無線受信部６１（図１０では無線受信部１，２，３，４，５，…，）を環状に配置することにより１つの看板装置の受信可能な方向を１平面上で最大３６０度まで向上することが可能である。たとえば、１つの無線受信部の指向性を図１０に示すように左右上下１５度とすれば、最大１平面上で１２個の無線受信部を配置可能となり、１２個の送信装置から同時に受信することが可能になる。
【００７１】
このため、たとえば、図１１に示すように、複数の無線装置７０Ａ，７０Ｂ，７０Ｃ，７０Ｄから送信されたデータが、広告看板７１を構成する１つの看板装置７２の無線受信部７３に達しても、これら複数のデータは混信しない。
このように、従来の無線装置では図２１に示したように広範囲な指向性を持つ単一の無線受信部２０１で必要となる通信空間をカバーしていた。これに対して図１０では、従来の無線装置よりも指向性を絞った１以上の無線受信部を用いて所望の通信空間（最大で３６０度）をカバーするようにしている。また、２以上の無線受信部を用いて所望の通信空間をカバーする場合には、できる限り指向性パターンが重なり合わないようにしながらこれら無線受信部を配置するようにしている。
したがって、本発明の第３の態様に係る広告看板の実施の形態によれば、マルチプルアクセス方式を利用せずとも、複数のユーザの各送信装置から同時に送信されるデータを受信できる。
よって、本発明の第３の態様に係る広告看板の実施の形態によれば、商品やサービスの広告を、街中やビルや駅や電車構内などのユーザが集まる場所において有効に行うことができる。
【００７２】
また、図９の看板装置における無線受信部６１に太陽光などの光をさえぎるフードをつければ、無線として赤外線などを利用した場合の受信感度を向上させることができ、赤外線の到達距離を伸ばすといった効果も期待できる。
【００７３】
なお、図８の広告看板５０または図９の看板装置においては、看板装置５１または無線受信部６１の隙間を、白色ペイントまたはレトロリフレクタとすることにより、図７の無線装置のマーカ部４４から発光される可視光の位置を分かりやすくすることができる。このように、無線受信部６１の隙間を白色ペイントまたはレトロリフレクタ８１とした図９の広告看板の例を図１２に示しておく。なお、図１２において符号８２Ａ〜８２Ｃはポインタである。
【００７４】
なお、本発明の第３の態様に係る広告看板の構成は、図８および図９には限られず、図１３のように、各看板装置の中央制御部、記憶部、外部インタフェース部が行う処理をそれぞれ１つの中央制御部、１つの記憶部、１つの外部インタフェース部に行わせ、この１つの中央制御部、１つの記憶部、１つの外部インタフェース部を、図９の看板装置の外に設けることもできる。
【００７５】
すなわち、図１３は、本発明の第３の態様に係る広告看板の第２の実施の形態を示す図であって、図１３に示す広告看板は、１つ以上の無線受信部９０を備えた１つ以上の看板装置９１、公衆ネットワークまたはインターネットに接続可能な外部インタフェース部９２、外部インタフェース部９２よりデータを書き換え可能な記憶部９３、受信したデータを解読可能な中央制御部９４から構成される。
【００７６】
中央制御部９４は、無線受信部９０が受信したデータに基づき前記記憶部９３からデータを選択し、前記外部インタフェース部９２ヘデータを送信する。中央制御部９４は外部インタフェース部９２ヘ接続するために必要なプロトコルも実装する。たとえば、外部インタフェースとしてＩＥＥＥ８０２．３を利用し、インターネットヘ接続する場合、中央制御部９４はＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）と言ったインターネットプロトコルを実装する。
【００７７】
無線受信部９０がデータを受信すると、この受信データが記憶部９３に書き込まれ、中央制御部９４に受信が知らされる。中央制御部９４は、記憶部９３の受信データに基づき、記憶部９３の中から外部インタフェース部９２ヘ送信すべきデータを構築し、外部インタフェース部９２ヘデータを送出する。
【００７８】
（本発明の第４の態様による実施の形態）
本発明の第４の態様による実施の形態に係る広告システムを図１４に示す。
【００７９】
図１４に示すように、本発明の第４の態様による実施の形態に係る広告システムは、携帯電話１００と、この携帯電話１００に接続され、その内部の記憶部（図示略）にこの携帯電話１００の電子メールアドレスを記憶している無線装置１０１と、商品Ａを取り扱っている商品Ａサーバ１０２と、商品Ａサーバ１０２のアドレス（ＵＲＬ）が記憶されており、無線装置１０１から送信された電子メールアドレスを無線受信部１０３で受信した場合、この受信した電子メールアドレス宛に記憶している商品Ａサーバ１０２のアドレス（ＵＲＬ）を無線送信部１０４から送信する看板装置を１つ有する広告看板１０５と、を有している。
無線装置１０１の内部の記憶部に記憶される電子メールアドレスは、携帯電話の番号、無線装置の管理番号などで代用することができる。
【００８０】
以下、本発明の第４の態様による実施の形態に係る広告システムにおける信号の流れを、図１５のフローチャートを参照しつつ、説明する。
【００８１】
広告看板１０５を見て商品Ａを購入しようとするユーザは、携帯電話１００の電子メールアドレスを含むデータを、無線装置１０１から広告看板１０５が有する看板装置の無線受信部１０３に送信する（ステップＳ４１）。
【００８２】
無線装置１０１から送信されたデータを受信した看板装置は、商品Ａサーバ１０２のＵＲＬを含む電子メールを、無線装置１０１を介して、携帯電話１００から送信されたデータに含まれる電子メールアドレスを有する携帯電話１００に送信する（ステップＳ４２）。
なお、看板装置から送られる商品Ａサーバ１０２のＵＲＬを含む情報の形式は、電子メールに限られず、たとえば、商品Ａサーバ１０２のＵＲＬの文字列のみといった他のデータ形式でもかまわない。
【００８３】
携帯電話１００は、看板装置から送信された電子メールを無線装置１０１を介して受信する（ステップＳ４３）。このステップＳ４３で、無線装置１０１は、看板装置から送信された電子メールの宛先電子メールアドレスが、自己が記憶部において記憶する電子メールアドレスであるか否かを判断して、当該電子メールが自装置宛の電子メールであることを確認し、この確認後、受信した電子メールに含まれるＵＲＬを外部インタフェース（図示略）経由で携帯電話１００へ送信する。
【００８４】
無線装置１０１から外部インタフェース経由でＵＲＬを送信された携帯電話１００は、受信したＵＲＬを画面に表示する。
【００８５】
したがって、ユーザは、画面に表示された商品Ａサーバ１０２のＵＲＬを選択して（ステップＳ４４）、基地局１０６，携帯電話網１０７，インターネット１０８を介して、このＵＲＬを有する商品Ａサーバ１０２ヘ携帯電話１００からアクセスすることにより（ステップＳ４５）、ＵＲＬを自身で携帯電話１００に入力することなく、商品Ａを取り扱う商品Ａサーバ１０２にアクセス（ステップＳ４６）できる。
【００８６】
なお、本発明の第４の態様による実施の形態においては、看板装置が送信するＵＲＬを商品Ａの問合せ電話番号にすることができ、この場合、ユーザは、看板装置から送信されてきた電話番号に電話をかけることにより、自身で電話番号を入力することなく、商品Ａの問合せ先へ電話可能である。
【００８７】
（本発明の第５の態様による実施の形態）
本発明の第５の態様による実施の形態の広告システムにおける無線装置を図１６に示す。
【００８８】
図１６の無線装置は、図７に示す無線装置に無線受信部１１０を追加した構成であり、この無線受信部１１０から受信した信号は、中央制御部４５にて解読され、外部インタフェース部４１経由で外部機器へ出力される。
【００８９】
一般に、情報要求信号はＩＤ（IDentifier）のみで構成され、情報信号はＵＲＬなどの長い文字列で構成される。したがって、情報要求信号と情報信号とでは、その情報量が大きく異なる。よって、情報要求信号の送受信は低速な回線でも十分に間に合うが、情報信号の送受信には高速な回線が必要となる。
この点、本発明の第５の態様による実施の形態においては、無線装置内で送信部、受信部が独立しており、各無線送信部４０、各無線受信部１１０は、それぞれ、異なる速度や異なる媒体を利用できる。したがって、本発明の第５の態様による実施の形態においては、無線受信部１１０に低速の装置を実装し、無線送信部４０に高速の装置を実装できる。よって、本発明の第５の態様による実施の形態においては、装置全体のコストを抑えることができる。
【００９０】
また、同一の通信距離を実現する場合、高速の装置の方が低速の装置よりも一般に駆動電力が大きい。この点、上記したように、本発明の第５の態様による実施の形態においては、無線送信部４０を高速な装置で構成する一方で、無線受信部１１０を低速な装置で構成することができる。したがって、本発明の第５の態様による実施の形態においては、広告側の装置コストの低減とともに待ち受けの駆動電源を低減させることができる。さらに、本発明の第５の態様による実施の形態においては、駆動電源に電池等を利用することにより、その駆動時間を延ばすことができ、保守費用の低減も図れる。
【００９１】
（本発明の第６の態様による実施の形態）
本発明の第６の態様に係る広告看板が有する各看板装置の実施の形態を図１７に示す。
【００９２】
図１７に示す広告看板は、１つ以上の無線受信部１２０、１つ以上の無線送信部１２１、無線送信部１２１から送信するデータを記憶する記憶部１２２、受信したデータを解読し、無線受信部１２０、無線送信部１２１を制御する中央制御部１２３から構成される。中央制御部１２３は、無線受信部１２０が受信したデータに基づき前記記憶部１２２からデータを選択し、無線送信部１２１へデータを送信する。
また、中央制御部１２３は、送信するデータが１つしかない場合には、記憶部１２２の送信データを周期的に送信する機能も具備する。
【００９３】
本発明の第６の態様による実施の形態においては、１つ以上の無線受信部１２０を、図１０で示すように配置できる。また、本発明の第６の態様による実施の形態においては、１つ以上の無線送信部１２１の配置を、図１０で示す無線受信部の配置と同じような配置とすることができる。また、本発明の第６の態様による実施の形態において、１つの無線受信部１２０と１つの無線送信部１２１とを近隣に設置して指向性を同じような空間とし、空間を分割すれば、複数の端末は、混信することなく通信できる。
【００９４】
本発明の第６の態様による実施の形態における無線受信部と無線送信部との配置例を図１８に示す。
図１８では、無線受信部１２０と無線送信部１２１とを上下に配置して一対の双方向通信部とし、無線受信部１２０と無線送信部１２１との指向性をそろえ、双方向の通信空間を作り出している。無線受信部１２０と無線送信部１２１とは、図１８の例では２次元上に配置されているが、図１２で示すように３次元上に配置することも可能であり、この場合は、上下の空間においても通信空間を分割できる。
【００９５】
（本発明の第７の態様による実施の形態）
本発明の第７の態様による実施の形態に係る広告システムを図１９に示す。
【００９６】
図１９に示すように、本発明の第７の態様による実施の形態に係る広告システムは、携帯電話１３０と、この携帯電話１３０に外部インタフェース（図示略）で接続される無線装置１３１と、商品Ａを取り扱っている商品Ａサーバ１３２と、商品Ａサーバ１３２のアドレス（ＵＲＬ）が記憶されており、この商品Ａサーバ１３２のアドレス（ＵＲＬ）を自律的かつ周期的に無線送信部１３３から送信する看板装置を１つ有する広告看板１３４と、を有している。
【００９７】
以下、本発明の第７の態様による実施の形態に係る広告システムにおける信号の流れを、図２０のフローチャートを参照しつつ、説明する。
【００９８】
まず、広告看板１３４が有する看板装置が、商品Ａサーバ１３２のＵＲＬを、無線装置１３１に対して自律的かつ周期的に送信する（ステップＳ５１）。
広告看板１３４からのデータを受信した無線装置１３１は、受信データ中のＵＲＬを外部インタフェース経由で携帯電話１３０へ送信する（ステップＳ５２）。
【００９９】
携帯電話１３０では、無線装置１３１から外部インタフェース経由で受信したＵＲＬを画面に表示する（ステップＳ５３）。
そして、ユーザは、画面に表示されたＵＲＬを選択し（ステップＳ５４）、基地局１３５，携帯電話網１３６，インターネット１３７を介して、このＵＲＬを有する商品Ａサーバ１３２ヘアクセスする（ステップＳ５５）。
【０１００】
したがって、本発明の第７の態様による実施の形態に係る広告システムによれば、ＵＲＬを自身で携帯電話１３０に入力することなく、商品Ａを取り扱う商品Ａサーバ１３２にアクセスできる。
【０１０１】
また、本発明の第７の態様による実施の形態に係る広告システムによれば、無線装置１３１には無線送信部を設ける必要がなく、広告看板１３４の看板装置に無線受信部を設ける必要がない。したがって、本発明の第７の態様による実施の形態に係る広告システムによれば、無線装置および看板装置の低価格化を実現できる。なお、無線装置１３１に無線送信部を設けないことから、本実施の形態ではマーカ部４４が受信信号の方向を示すことになる。
【０１０２】
なお、上述した本発明の各実施の形態に係る広告看板は、商品に関する広告を掲載するものであるが、本発明に係る広告看板は、これに限られるものではない。したがって、本発明に係る広告看板には、商品に関する広告のみならず、サービスに関する広告をも掲載できる。
また、上述した実施の形態では携帯電話等の端末と無線装置を別体としていたが、無線装置の機能を携帯電話に組み込むようにしても良い。
【図面の簡単な説明】
【０１０３】
【図１】本発明の第１の態様による第１の実施の形態に係る広告システムを示す図である。
【図２】本発明の第１の態様による第１の実施の形態に係る広告システムにおける信号の流れを示すフローチャートである。
【図３】本発明の第１の態様による第２の実施の形態に係る広告システムを示す図である。
【図４】本発明の第１の態様による第２の実施の形態に係る広告システムにおける信号の流れを示すフローチャートである。
【図５】本発明の第１の態様による第３の実施の形態に係る広告システムを示す図である。
【図６】本発明の第１の態様による第３の実施の形態に係る広告システムにおける信号の流れを示すフローチヤートである。
【図７】本発明の第２の態様による実施の形態の広告システムにおける無線装置を示す図である。
【図８】本発明の第３の態様に係る広告看板の第１の実施の形態を示す図である。
【図９】本発明の第３の態様に係る広告看板が有する各看板装置の第１の実施の形態を示す図である。
【図１０】本発明の第３の態様に係る広告看板が有する各看板装置における無線受信部の配置例を示す図である。
【図１１】本発明の第３の態様に係る発明の第１の実施の形態の効果を説明する図である。
【図１２】本発明の第３の態様に係る広告看板が有する各看板装置における無線受信部の隙間を白色ペイントまたはレトロリフレクタとした様子を示す図である。
【図１３】本発明の第３の態様に係る広告看板の第２の実施の形態を示す図である。
【図１４】本発明の第４の態様による実施の形態に係る広告システムを示す図である。
【図１５】本発明の第４の態様による実施の形態に係る広告システムにおける信号の流れを示すフローチャートである。
【図１６】本発明の第５の態様による実施の形態の広告システムにおける無線装置を示す図である。
【図１７】本発明の第６の態様に係る広告看板が有する各看板装置の実施の形態を示す図である。
【図１８】本発明の第６の態様による実施の形態に係る無線送受信部の配置例を示す図である。
【図１９】本発明の第７の態様による実施の形態に係る広告システム示す図である。
【図２０】本発明の第７の態様による実施の形態に係る広告システムにおける信号の流れを示すフローチャートである。
【図２１】単一のチャネルでの１対１の通信が前提とされる従来の無線装置の受信指向性を示す図である。
【符号の説明】
【０１０４】
１〜５  無線受信部
６  無線受信部１の指向性パターン
７  看板装置
１０，２０，１００，１３０  携帯電話
１１，２１，３１，７０Ａ〜７０Ｄ，１０１，１３１  無線装置
１２Ａ，２２Ａ，３２Ａ，１０２，１３２  商品Ａサーバ
１２Ｂ，２２Ｂ，３２Ｂ  商品Ｂサーバ
１２Ｃ，２２Ｃ，３２Ｃ  商品Ｃサーバ
１２Ｄ，２２Ｄ，３２Ｄ  商品Ｄサーバ
１３，２３，３３，１３７  インターネット
１４Ａ〜１４Ｄ，２４Ａ〜２４Ｄ，３４Ａ〜３４Ｄ，７３  無線受信部
１５Ａ〜１５Ｄ，２５Ａ〜２５Ｄ，３５Ａ〜３５Ｄ，７２  看板装置
１６，２６，３６，７１，１０５  広告看板
１７，２７，１０７，１３６  携帯電話網
１８，２８，１０６，１３５  基地局
３０  パーソナルコンピュータ
４０，１０４，１２１  無線送信部
４１，６３，９２  外部インタフェース部
４２，６２，９３，１２２  記憶部
４３  入力インタフェース部
４４  マーカ部
４５，６４，９４，１２３  中央制御部
５０，９１，１３４  広告看板
５１  看板装置
６１，９０，１０３，１１０，１２０，１３３  無線受信部
８１  白色ペイントまたはレトロリフレクタ
８２Ａ〜８２Ｃ  ポインタ
【図１】
2004312660.tif 000003
【図２】
2004312660.tif 000004
【図３】
2004312660.tif 000005
【図４】
2004312660.tif 000006
【図５】
2004312660.tif 000007
【図６】
2004312660.tif 000008
【図７】
2004312660.tif 000009
【図８】
2004312660.tif 000010
【図９】
2004312660.tif 000011
【図１０】
2004312660.tif 000012
【図１１】
2004312660.tif 000013
【図１２】
2004312660.tif 000014
【図１３】
2004312660.tif 000015
【図１４】
2004312660.tif 000016
【図１５】
2004312660.tif 000017
【図１６】
2004312660.tif 000018
【図１７】
2004312660.tif 000019
【図１８】
2004312660.tif 000020
【図１９】
2004312660.tif 000021
【図２０】
2004312660.tif 000022
【図２１】
2004312660.tif 000023